(57)【要約】  本発明は、座席用家具シャーシ（９００）に関し、座席用家具シャーシ（９００）は、引き込みおよび引き出し可能な、レッグレストおよび／またはフットレスト（１０００）と、駆動手段（１０７）と、レッグレストおよび／またはフットレスト（１０００）の引き込みおよび引き出し動作中に、レッグレストおよび／またはフットレスト（１０００）の折り畳み／展開動作を開始させるための展開手段（１００１，１００２，１００３，１００４）と、駆動手段（１０７）によって並進移動されて、よって引き出しおよび引き込み動作を開始するように構成された並進手段（９０７）とを含み、レッグレストおよびフットレスト（１０００）の折り畳み／展開動作は、展開手段（１００１，１００２，１００３，１００４）と並進手段（９０７）との間の距離の変化によって引き起こすことができる。
2019508322.tif 000002
【特許請求の範囲】
【請求項１】
引き込みおよび引き出し可能な、レッグレストおよび／またはフットレスト（１０００）と、駆動手段（１０７）と、レッグレストおよび／またはフットレスト（１０００）の引き込みおよび引き出し動作中に、レッグレストおよび／またはフットレスト（１０００）の折り畳み／展開動作を開始させるための展開手段（１００１，１００２，１００３，１００４）と、駆動手段（１０７）によって並進移動されて、よって引き出しおよび引き込み動作を開始するように構成された並進手段（９０７）とを含む座席用家具シャーシ（９００）において、
レッグレストおよびフットレスト（１０００）の折り畳み／展開動作は、展開手段（１００１，１００２，１００３，１００４）と並進手段（９０７）との間の距離の変化によって引き起こすことができることを特徴とする座席用家具シャーシ（９００）。
【請求項２】
座席用家具シャーシ（９００）は、少なくとも１つの案内レール（９０４）および少なくとも１つの案内要素を備え、案内レール（９０４）は、引き込みおよび／または引き出し動作中に案内要素を案内するように構成され、展開手段（１００１，１００２，１００３，１００４）と並進手段（９０７）との間の距離は、案内レール（９０４）による案内要素の案内によって変更することができることを特徴とする、請求項１に記載の座席用家具シャーシ（９００）。
【請求項３】
座席用家具シャーシ（９００）は、第１脚部（９０５）および第２脚部（９０６）を備え、案内要素は、第１脚部（９０５）の第１端部に結合され、案内要素は、第２脚部（９０６）の第１端部に回転可能に結合され、第１脚部（９０５）の第１端部に対向する第１脚部（９０５）の第２端部は、展開手段（１００１，１００２，１００３，１００４）に結合され、第１端部に対向する第２脚部（９０６）の第２端部は、並進手段（９０７）または並進手段（９０７）に堅固に結合されたキャリッジ（９０３）に回転可能に結合されることを特徴とする、請求項１または２に記載の座席用家具シャーシ（９００）。
【請求項４】
展開手段（１００１，１００２，１００３，１００４）と並進手段（９０７）との間の距離は、案内要素が、引き込みおよび／または引き出し動作中に、並進手段（９０７）もしくはキャリッジ（９０３）の方向に、または並進手段（９０７）もしくはキャリッジ（９０３）から離れるように案内されることによって、変更可能であることを特徴とする、請求項１〜３のいずれか１項に記載の座席用家具シャーシ（９００）。
【請求項５】
折り畳み動作中に、並進手段（９０７）またはキャリッジ（９０３）から離れるように、案内要素が案内されることによって、引き込み動作中に、レッグレストおよび／またはフットレスト（１０００）の展開動作を引き起こすことが可能であり、レッグレストおよび／またはフットレスト（１０００）の展開動作は、引き出し動作中に、案内要素が、並進手段（９０７）またはキャリッジ（９０３）の方向に案内されることによって、引き起こすことが可能であることを特徴とする、請求項４に記載の座席用家具シャーシ（９００）。
【請求項６】
並進手段（９０７）またはキャリッジ（９０３）は、座席用家具シャーシ（９００）の側方領域に配設され、案内要素および案内レール（９０４）は、座席用家具シャーシ（９００）の内側領域に配設されることを特徴とする、請求項１〜５のいずれか１項に記載の座席用家具シャーシ（９００）。
【請求項７】
座席用家具シャーシ（９００）は、少なくとも２つの案内要素と、２つの案内レール（９０４）と、２つのキャリッジ（９０３）とを備え、キャリッジ（９０３）はそれぞれ、側方向領域の１つに配設され、案内要素および案内レール（９０４）はそれぞれ、座席用家具シャーシ（９００）の中心とそれぞれのキャリッジ（９０３）との間に配設されることを特徴とする、請求項１〜６のいずれか１項に記載の座席用家具シャーシ（９００）。
【請求項８】
展開手段（１００１，１００２，１００３，１００４）は、少なくとも１つのボルト（１００１）と、ベアリング要素と、スロット（１００２，１００３，１００４）とを備え、レッグレストおよび／またはフットレスト（１０００）の折り畳み／展開動作は、ボルトの並進運動（１００１）によって引き起こすことができ、ボルト（１００１）は、この並進運動があるとき、スロット（１００２）内において、ベアリング要素によって案内されることを特徴とする、請求項１〜７のいずれか１項に記載の座席用家具シャーシ（９００）。
【請求項９】
展開手段（１００１，１０２，１００３，１００４）は、ボルト（１００１）に配設されたさらなるベアリング要素（１００３）を含み、このさらなるベアリング要素上には、レッグレストおよび／またはフットレスト（１０００）を配設することができることを特徴とする、請求項８に記載の座席用家具シャーシ（９００）。
【請求項１０】
展開手段（１００１，１００２，１００３，１００４）は、ばね要素を含み、ばね要素は、レッグレストおよび／またはフットレスト（１０００）にばね力を加え、ばね力は、レッグレストおよび／またはフットレスト（１０００）をボルト（１００１）に押圧することを特徴とする、請求項９に記載の座席用家具シャーシ（９００）。
【請求項１１】
座席用家具シャーシ（９００）は、駆動手段（１０７）によって生成されたトルクを並進的に並進手段（９０７）に作用する力に変換する変換手段を含むことを特徴とする、請求項１〜１０のいずれか１項または請求項１の前提部分に記載の座席用家具シャーシ（９００）。
【請求項１２】
変換手段は、ねじ付きスピンドル（９０２）およびナットを備え、ナットは、並進手段（９０７）に結合され、ねじ付きスピンドル（９０２）にねじ込まれ、ねじ付きスピンドル（９０２）は、駆動手段（１０７）によって回転させることができることを特徴とする、請求項１１に記載の座席用家具シャーシ（９００）。
【請求項１３】
変換手段は、座席用家具シャーシ（９００）の中央領域に配設されることを特徴とする、請求項１１または１２に記載の座席用家具シャーシ（９００）。
【請求項１４】
請求項１〜１３のいずれか１項に記載の座席用家具シャーシ（９００）を含むことを特徴とする座席用家具。
【発明の詳細な説明】
【技術分野】
【０００１】
本発明は、請求項１の上位概念に従った座席用家具シャーシに関する。
【背景技術】
【０００２】
座席用家具シャーシとして、座席用家具の基本構造を形成する構造について言及する。座席用家具シャーシ上には、詰め物と張り材料とが取り付けられる。
【０００３】
ＤＥ  １０  ２００９  ０５１  ５７６  Ａ１から、引き出し可能で、展開可能なフットレストを有する座席用家具シャーシが知られる。公知の座席用家具シャーシでは、駆動手段の角運動量をフットレストの引き出し運動および展開運動に変換する変換手段が利用される。さらに、座席用家具シャーシは、しばしばシート支持フレーム用ばねを有している。シート支持フレームには、シートとして働く詰め物を取り付けることが可能である。変換手段およびばねは、通常、互いに近接して位置している領域に配設される。この配設は、フットレストの引き込みおよび引き出しのための空間を小さくすることの障害となる。引き込みおよび引き出し機構が、引き込み状態においてわずかしか見えない、またはまったく見えないようにするために、比較的わずかの設置スペースしか使わないとすべきであれば、この目的はばねを配設することが妨げとなる。
【発明の概要】
【０００４】
本発明は、フットレストの引き込みおよび引き出しのために必要なスペースがより少ない座席用家具シャーシを提供することを課題とする。さらにまた、このような座席用家具シャーシを備える座席用家具を作製することを課題とする。
【０００５】
この課題は、請求項１に記載の座席用家具シャーシと、請求項１４に記載の座席用家具とによって達成される。本発明の実施形態は従属請求項に示されている。
【０００６】
座席用家具シャーシは、引き込みおよび引き出し可能な、レッグレストおよび／またはフットレストと、駆動手段と、レッグレストおよび／またはフットレストの引き込みおよび引き出し動作中に、レッグレストおよび／またはフットレストの折り畳み／展開動作を開始させるための展開手段と、駆動手段によって並進移動されて、よって引き出しおよび引き込み動作を開始するように構成された並進手段とを含む。駆動手段は、たとえば、シャフトにトルクを伝達するモータとして構成することができる。トルクは、変換手段によって、並進手段に作用する力に変換されて、これにより、並進手段を並進移動させることが可能である。
【０００７】
レッグレストおよび／またはフットレストの折り畳み／展開動作は、展開手段と並進手段との間の距離の変化によって引き起こすことが可能である。たとえば、展開手段は、１または複数のレバーを介して、引き込みおよび引き出し動作中に、自動的に展開手段と並進手段との間の距離が変化するように、並進手段と、または並進手段と固定されて結合された構成部品、たとえば、キャリッジと結合することが可能である。
【０００８】
本発明の一実施形態に従えば、座席用家具シャーシは、少なくとも１つの案内レールおよび少なくとも１つの案内要素を備えることができる。案内レールは、引き込みおよび／または引き出し動作中に案内要素を案内するように構成することができる。展開手段と並進手段との間の距離は、案内レールによる案内要素の案内によって変更することができる。この目的のために、案内要素は、たとえば、展開手段および並進手段またはキャリッジに結合することができる。
【０００９】
本発明の一実施形態に従えば、座席用家具シャーシは、第１脚部および第２脚部を備えることができる。案内要素は、第１脚部の第１端部に結合されてもよい。案内要素と第１脚部の第１端部との間の結合部は、回転可能であっても固定されていてもよい。さらにまた、案内要素は、第２脚部の第１端部に回転可能に結合されてもよい。第１脚部の第１端部に対向する第１脚部の第２端部は、展開手段に結合されてもよい。たとえば、第１脚が別の構成要素を介して展開手段と結合されることも可能である。第１端部に対向する第２脚部の第２端部は、並進手段または並進手段に堅固に結合されたキャリッジに回転可能に結合されてもよい。キャリッジは、たとえば、並進手段によって移動され、この目的のために並進手段に堅固に結合されてもよい。
【００１０】
案内要素を脚部を介して展開手段および並進手段またはキャリッジと結合することによって、引き込みおよび／または引き出し動作中の展開手段と並進手段との間の距離の変更を行うことが可能である。案内要素は、たとえば、第２脚部と案内要素との間の回転可能な結合によって、キャリッジまたは並進手段と案内要素との間の距離が変更されるように、案内レールによって案内されることが可能である。
【００１１】
本発明の１つの実施形態に従えば、展開手段と並進手段との間の距離は、案内要素が、引き込みおよび／または引き出し動作中に、並進手段もしくはキャリッジの方向に、または並進手段もしくはキャリッジから離れるように案内されることによって、変更可能とすることができる。案内要素と並進手段またはキャリッジとの間の距離を変更することによって、第２脚部の回転を引き起こすことができ、それにより、並進手段と展開手段との間の距離が変化する。
【００１２】
本発明の一実施形態に従えば、引き込み動作中に、並進手段またはキャリッジから離れるように、案内要素が案内されることによって、引き込み動作中に、レッグレストおよび／またはフットレストの折り畳み動作を引き起こすことが可能である。レッグレストおよび／またはフットレストの展開動作は、引き出し動作中に、案内要素が、並進手段またはキャリッジの方向に案内されることによって、引き起こすことが可能となる。
【００１３】
本発明の一実施形態に従えば、並進手段またはキャリッジは、座席用家具シャーシの側方領域に配設することが可能である。案内要素および案内レールは、座席用家具シャーシの内側領域に配設することが可能である。その場合、側方領域とは、特に、座席用家具シャーシの縁部領域において後端から前方に延びる領域であると理解すればよい。後端とは、座席用家具シャーシの端部であり、背もたれが取り付け可能な端部である。側方領域は、特に、座席用家具シャーシの中央よりも側縁に近い領域であればよい。座席用家具シャーシは、特に、互いに平行に延びる２つの側方領域を有することができる。内側領域とは、特に、２つの側方領域の間にある領域であると理解すればよい。
【００１４】
本発明の一実施形態に従えば、座席用家具シャーシは、少なくとも２つの案内要素と、２つの案内レールと、２つのキャリッジとを備えることができる。キャリッジはそれぞれ、側方向領域の１つに配設することができる。案内要素および案内レールはそれぞれ、座席用家具シャーシの中心とそれぞれのキャリッジとの間に配設することができる。
【００１５】
２つの案内要素、２つの案内レールおよび２つのキャリッジを適用することによって、座席用家具シャーシの安定性、特に引き込みおよび引き出し動作中の座席用家具シャーシの安定性が向上する。
【００１６】
本発明の一実施形態に従えば、展開手段は、少なくとも１つのボルトと、ベアリング要素と、スロットとを備えればよい。レッグレストおよび／またはフットレストの折り畳み／展開動作は、ボルトの並進運動によって引き起こすことが可能である。ボルトは、この並進運動があるとき、スロット内において、ベアリング要素によって案内することができる。スロットは、たとえば、並進手段と直接的または間接的に強固に結合された構成要素に配設することが可能である。この構成要素には、レッグレストおよび／またはフットレストの少なくとも一部を固定することができる。レッグレストおよび／またはフットレストの別の部分は、ボルトに結合することができる。次いで、ボルトとスロットとの間の相対運動は、適切なレバー変換によって、レッグレストおよび／またはフットレストの折り畳み／展開動作に変換することが可能である。
【００１７】
本発明の一実施形態に従えば、展開手段は、ボルトに配設されたさらなるベアリング要素を含むことができる。このさらなるベアリング要素上には、レッグレストおよび／またはフットレストを配設することができる。レッグレストおよび／またはフットレストとボルトとの間のこの結合により、身体部分、動物または物が、レッグレストおよび／またはフットレストにとって邪魔になっているとき、折り畳み／展開動作においてその身体部分、動物または物が損傷しないようにすることができる。
【００１８】
本発明の一実施形態に従えば、展開手段は、ばね要素を含むことができる。ばね要素は、レッグレストおよび／またはフットレストにばね力を加えることができる。ばね力は、レッグレストおよび／またはフットレストをボルトに押圧することができる。したがって、このばね要素によって、レッグレストおよび／またはフットレストがボルトと接触することが達成される。折り畳み／展開動作中に、身体部分、動物または物が、レッグレストおよび／またはフットレストに衝突すると、身体部分、動物または物にはばね力のみが作用する。このようにして、結果として生じる損傷を低減することができる。
【００１９】
本発明の一実施形態に従えば、座席用家具シャーシは、駆動手段によって生成されたトルクを並進的に並進手段に作用する力に変換する変換手段を含むことができる。
【００２０】
本発明の一実施形態に従えば、変換手段は、ねじ付きスピンドルおよびナットを備えることができる。ナットは、並進手段に結合され、ねじ付きスピンドルにねじ込まれることができる。ねじ付きスピンドルは、駆動手段によって回転させることができる。
【００２１】
本発明の一実施形態に従えば、変換手段は、座席用家具シャーシの中央領域に配設することができる。この場合、中央領域とは、特に、座席用家具シャーシの中央の３分の１を意味し、その中央領域は座席用家具シャーシの後端から前方に延びていると理解することができる。特に、変換手段は、２つの側方領域と同じ距離を有するように中央に配設されることが可能である。
【００２２】
本発明のさらなる特徴および利点は、添付の図面を参照して、以下の好ましい実施形態の説明から明らかになるであろう。同一または類似の構成要素および同一または同様の機能を有する構成要素については、同じ参照符号が使用される。
【図面の簡単な説明】
【００２３】
【図１】引き込み式で折り畳み式のレッグレストおよび／またはフットレストを有する本発明の一実施形態による座席用家具シャーシの概略斜視図である。
【図２】レッグレストおよび／またはフットレストが部分的に引き出され、展開された、図１の座席用家具シャーシの概略斜視図である。
【図３】レッグレストおよび／またはフットレストが、さらに引き出され、展開された、図２の座席用家具シャーシの概略斜視図である。
【図４】レッグレストおよび／またはフットレストが、さらに引き出され、展開された、図３の座席用家具シャーシの概略斜視図である。
【図５】レッグレストおよび／またはフットレストが、さらに引き出され、展開された、図４の座席用家具シャーシの概略斜視図である。
【図６】レッグレストおよび／またはフットレストが、完全に引き出され、展開された、図５の座席用家具シャーシの概略斜視図である。
【図７】図６の座席用家具シャーシの概略斜視図である。
【発明を実施するための形態】
【００２４】
図１〜図７には、駆動手段１０７と、ねじ付きスピンドル９０２と、２つのキャリッジ９０３と、２つの案内レール９０４と、２つの第１脚部９０５と、２つの第２脚部９０６と、並進手段９０７と、レッグレストおよび／またはフットレスト１０００とを含む座席用家具シャーシ９００が示されている。
【００２５】
駆動手段１０７は、座席用家具シャーシ９００の後方領域に配設され、ねじ付きスピンドル９０２を回転させる。並進手段９０７は、ねじ付きスピンドル９０２にねじ込まれたナットに結合されているので、ねじ付きスピンドル９０２が回転すると並進手段９０７が並進移動する。ねじ付きスピンドル９０２は、座席用家具シャーシ９００の中央に配設され、後端部から前端方向に延びている。
【００２６】
並進手段９０７は、側方ガイド内に案内される２つのキャリッジ９０３に堅固に結合されている。キャリッジ９０３はそれぞれ、第２脚部９０６に回転可能に結合されている。第２脚部９０６はまた、それぞれ、図中では隠れているが、案内要素に結合されている。案内レール９０４内で並進手段９０７が並進運動する時、２つの案内要素が案内される。さらにまた、案内要素は、２つの第１脚部９０５の第１端部にそれぞれ結合されている。第１脚部９０５の第２端部は、第１端部に対向しており、結合手段１００５によって互いに結合されている。
【００２７】
案内レール９０４は、ねじ付きスピンドル９０２と座席用家具シャーシ９００の側部との間にそれぞれ配設されている。案内レール９０４は、４つのセクションに分割することができる。案内要素が図１の折り畳まれた状態にある第１セクションでは、案内レール９０４が互いに離れるように引き出され、したがって、展開プロセスの間、案内要素はねじ付きスピンドルから離れるように案内される。第１セクションに隣接し、図２および図３の案内要素がある第２セクションでは、案内レール９０４は、ねじ付きスピンドル９０２とほぼ平行に延びている。案内レール９０４が再び互いに離れる第３セクションが、第２セクションに続いている。この第３セクションには、案内レール９０４が再び互いに平行に延びる第４セクションが続いている。
【００２８】
２つの部分からなるレッグレストおよび／またはフットレスト１０００は、それぞれのベアリング１００４によって規定された旋回軸回りに旋回可能である。このベアリング１００４は、ベアリング要素１００３上に、レッグレストおよび／またはフットレストの支持点まで上方にオフセットされて配設される。ベアリング要素１００３は、ボルト１００１に結合されている。ボルト１００１は結合手段１００５に当接する。ボルト１００１は、スロット１００２を通って案内され、結合手段１００５の、スロット１００２が配設されている構成要素への相対的な移動によって、前後に移動することができる。ボルト１００１が前進運動しているとき、ベアリング１００４によって規定された旋回軸回りのレッグレストおよび／またはフットレスト１０００の展開運動が行われる。したがって、ボルト１００１が後退運動しているとき、同じ旋回軸回りの折り畳み運動が行われる。
【００２９】
移動手段９０７の並進運動中に、ボルト１００１と、スロット１００２を有する構成要素との間の相対運動が引き起こされる。変換手段９０７は、レッグレストおよび／またはフットレスト１０００の引き込みおよび引き出し動作中に駆動手段１０７によって並進運動される。
【００３０】
キャリッジ９０３が並進手段９０７と堅固に結合されているので、キャリッジ９０３も並進移動する。引き出し動作の間、案内要素は、案内レール９０４によってキャリッジ９０３の方向に移動される。引き込み動作の間、案内要素はキャリッジ９０３から離れるように移動される。
【００３１】
案内要素が、キャリッジ９０３の方向に移動すると、第２脚部９０６がキャリッジ９０３に対して回転し、案内要素が、並進手段９０７よりもさらに前方に第２脚部９０６によって押される。これにより、結合手段１００５と並進手段９０７との間の距離が増大し、それによって、ボルト１００３が、スロット１００２内で前方に押され、レッグレストおよび／またはフットレスト１０００が旋回軸１００４回りに展開される。案内要素が、キャリッジ９０３から遠ざかるにつれて、第２脚部９０６が、キャリッジ９０３に対して回転し、案内要素が、第２脚部９０６によって並進手段９０７よりもさらに後方に移動する。これにより、結合手段１００５と並進手段９０７との間の距離が減少し、それによって、ボルト１００３が、スロット１００２内で後方に押され、レッグレストおよび／またはフットレスト１０００が旋回軸１００４回りに折り畳まれる。
【００３２】
レッグレストおよび／またはフットレスト１０００の折り畳み動作は、レッグレストおよび／またはフットレスト１０００をベアリング要素１００３に対して押し付けるばね要素によって支援されている。この力により、ボルト１００１が結合手段１００５に押し付けられる。堅い結合とは対照的に、この構成は、折り畳み動作の間は、レッグレストおよび／またはフットレスト１０００にはばね力のみが作用するという利点を有し、したがって、折り畳んでいるレッグレストおよび／またはフットレスト１０００による、身体部分、動物または物への損傷の危険性が低下される。
【００３３】
図５および図６を要約すると、特に、座席用家具シャーシ９００は、体格が異なる人々に適していることが明らかである。図５では、フットレストは既に完全に展開されているが、まだ完全には引き出されていない。図６では、フットレストが完全に展開され、完全に引き出されている。したがって、図５の位置は、小さい人が足をフットレストに格納するのに適しているが、図６の位置、は大きな人に適している。これは、案内レール９０４が前部領域において、互いに平行に延びていることによって可能になり、したがってフットレストの折り畳み／展開動作は、引き出し動作のこのセクションでは起こらない。
【図１】
2019508322.tif 000003
【図２】
2019508322.tif 000004
【図３】
2019508322.tif 000005
【図４】
2019508322.tif 000006
【図５】
2019508322.tif 000007
【図６】
2019508322.tif 000008
【図７】
2019508322.tif 000009
【国際調査報告】
2019508322.tif 000010
2019508322.tif 000011
2019508322.tif 000012
2019508322.tif 000013